(57)【要約】【課題】医用画像発生装置から受信した元画像品質に問題があったり、受信した画像では充分な画像品質や付帯情報が得られない場合に、画像発生装置から調整や修正を施した画像情報を受信できる画像管理装置及び医用ネットワークを提供する。また、画像管理装置のコンピュータのためのプログラムを提供する。【解決手段】この画像管理装置は、医用画像発生装置から医用画像を受信し、その受信した医用画像を画像処理し、その画像処理した医用画像及び付帯情報を表示し、画像形成装置及び画像保存装置の少なくとも一方への出力が可能であり、受信した医用画像に対して、画像形成または画像保存に適した画像処理を施すことができないとき、医用画像発生装置における対象の医用画像の再作成及び再送信を医用画像発生装置または撮影オーダを発行する外部の情報管理装置に要求できる。画像管理装置は画像の再作成及び再送信を自動的に要求し、再作成した画像や付帯情報等の画像情報を自動的に受信できる。【選択図】　図４
2004097652.tif 000002
【特許請求の範囲】
【請求項１】
医用画像発生装置から医用画像を受信し、その受信した医用画像を画像処理し、その画像処理した医用画像及び付帯情報を表示し、画像形成装置及び画像保存装置の少なくとも一方への出力が可能な画像管理装置であって、
前記受信した医用画像に対し前記画像形成装置での画像形成及び前記画像保存装置での画像保存の少なくとも一方のために適した画像処理を施すことができないとき、前記医用画像発生装置における対象の医用画像の再作成及び再送信を前記医用画像発生装置または撮影オーダを発行する外部の情報管理装置に要求する手段を備えることを特徴とする画像管理装置。
【請求項２】
前記再作成を要求するときに前記再作成のための付加情報をともに送ることができることを特徴とする請求項１に記載の画像管理装置。
【請求項３】
前記画像処理を施すことができないとは、前記医用画像発生装置、前記画像管理装置、前記画像形成装置及び前記画像保存装置の少なくとも１つにおける画像処理による画像が最適でないときか、または、前記付帯情報が不充分であるとき、であることを特徴とする請求項１または２に記載の画像管理装置。
【請求項４】
前記再作成の要求のための通信に医用の標準ネットワークプロトコル（ＤＩＣＯＭ）を使用することを特徴とする請求項１，２または３に記載の画像管理装置。
【請求項５】
前記再作成のための付加情報に、前記医用画像発生装置からの出力画像を画像処理済画像とするか、または、未処理画像と前記医用画像発生装置で施した画像処理内容とのペアとするか、のどちらを指定するかの情報を付加することを特徴とする請求項１乃至４のいずれか１項に記載の画像管理装置。
【請求項６】
請求項１乃至５のいずれか１項に記載の画像管理装置と、
前記画像管理装置に医用画像を送信する医用画像発生装置と、
前記画像管理装置から出力された医用画像を保存する画像保存装置またはその医用画像を記録媒体に形成する画像形成装置と、
前記医用画像発生装置に対し撮影オーダを発行し各種情報を管理する情報管理装置と、含むことを特徴とする医用ネットワークシステム。
【請求項７】
医用画像発生装置から医用画像を受信し、その受信した医用画像を画像処理し、その画像処理した医用画像及び付帯情報を表示し、画像形成装置及び画像保存装置の少なくとも一方への出力が可能な画像管理装置が備えるコンピュータのためのプログラムであって、
前記受信した医用画像に対し前記画像形成装置での画像形成及び前記画像保存装置での画像保存の少なくとも一方のために適した画像処理を前記医用画像発生装置、前記画像管理装置、前記画像形成装置及び前記画像保存装置の少なくとも１つにおいて施すことができた否かを判断するステップと、前記画像処理を施すことができないとき前記医用画像発生装置における対象の医用画像の再作成及び再送信を前記医用画像発生装置または撮影オーダを発行する外部の情報管理装置に要求するステップと、を前記コンピュータに実行させることを特徴とするプログラム。
【請求項８】
前記再作成を要求するときに前記再作成のための付加情報をともに送るようにすることを特徴とする請求項７に記載のプログラム。
【請求項９】
前記画像処理を施すことができないとは、前記画像処理による画像が最適でないときか、または、前記付帯情報が不充分であるとき、であることを特徴とする請求項７または８に記載のプログラム。
【請求項１０】
前記再作成の要求のための通信に医用の標準ネットワークプロトコル（ＤＩＣＯＭ）を使用することを特徴とする請求項７，８または９に記載のプログラム。
【請求項１１】
前記再作成のための付加情報に、前記医用画像発生装置からの出力画像を画像処理済画像とするか、または、未処理画像と前記医用画像発生装置で施した画像処理内容とのペアとするか、のどちらを指定するかの情報を付加させることを特徴とする請求項７乃至１０のいずれか１項に記載のプログラム。
【発明の詳細な説明】
【０００１】
【発明の属する技術分野】
本発明は、医用画像発生装置から医用画像を受信し、その受信した医用画像を画像処理し、その画像処理した医用画像及び付帯情報を表示し画像形成装置及び画像保存装置の少なくとも一方への出力が可能な画像管理装置、及び画像管理装置のためのプログラムに関するものである。
【０００２】
【従来の技術】
従来、放射線画像等の医用画像を管理する画像管理装置では、放射線画像等の医用画像を画像発生装置から受信し、受信した医用画像を表示し画像処理を行い画像確認を行い、画像保存や画像形成のために適した画像としてから、外部の画像保存装置や画像形成装置に出力している。
【０００３】
かかる画像管理装置で受信した元画像品質が悪くまたは間違っており、画像保存装置や画像形成装置において画像保存や画像形成ができない場合には、現画像を破棄し、ＲＩＳまで移動し、撮影オーダの再発行手続きをしなければならない。また、受信した画像では画像品質や付帯情報が不充分な場合も、受信元での画像処理のやり直しや撮影オーダの再発行手続きが必要になってしまう。
【０００４】
【特許文献１】
特開平６−７８９１０号公報
【０００５】
【特許文献２】
特開平１０−１８９９５７号公報
【０００６】
【発明が解決しようとする課題】
本発明は、上記従来技術の問題に鑑み、医用画像発生装置から受信した元画像品質に問題があったり、受信した画像では充分な画像品質や付帯情報が得られない場合に、画像発生装置から調整や修正を施した画像情報を受信できるようにした画像管理装置及び医用ネットワークを提供することを目的とする。また、画像管理装置のコンピュータのためのプログラムを提供することを目的とする。
【０００７】
【課題を解決するための手段】
上記目的を達成するために、本発明による画像管理装置は、医用画像発生装置から医用画像を受信し、その受信した医用画像を画像処理し、その画像処理した医用画像及び付帯情報を表示し、画像形成装置及び画像保存装置の少なくとも一方への出力が可能な画像管理装置であって、前記受信した医用画像に対し前記画像形成装置での画像形成及び前記画像保存装置での画像保存の少なくとも一方のために適した画像処理を施すことができないとき、前記医用画像発生装置における対象の医用画像の再作成及び再送信を前記医用画像発生装置または撮影オーダを発行する外部の情報管理装置に要求する手段を備えることを特徴とする。
画像管理装置。
【０００８】
この画像管理装置によれば、例えば画像形成または画像保存に適した画像を得ることができない場合などにおいて、画像の再作成及び再送信を自動的に要求できるので、医用画像発生装置から修正や調整で再作成した画像や付帯情報等の画像情報を自動的に受信できる。このため、画像管理装置において充分な画質・付帯情報を備えた画像情報を得ることができる。また、外部の情報管理装置まで移動しなくとも、再作成した画像情報を自動的に受信できる。
【０００９】
上記画像管理装置において前記再作成を要求するときに前記再作成のための付加情報をともに送ることができるように構成することが好ましい。
【００１０】
また、前記画像処理を施すことができないとは、前記医用画像発生装置、前記画像管理装置、前記画像形成装置及び前記画像保存装置の少なくとも１つにおける画像処理による画像が最適でないときか、または、前記付帯情報が不充分であるとき、である。なお、前記付帯情報が不充分とは、その付帯情報の変更を必要とするような場合である。また、医用画像発生装置、画像管理装置、画像形成装置及び画像保存装置における画像処理には、ユーザ操作で画像処理を施す場合があり、ユーザが画像処理を施しても最適な画像を得ることができない場合にも再作成の要求を行うようにできる。
【００１１】
また、前記再作成の要求のための通信に医用の標準ネットワークプロトコル（ＤＩＣＯＭ）を使用することが好ましい。
【００１２】
また、前記再作成のための付加情報に、前記医用画像発生装置からの出力画像を画像処理済画像とするか、または、未処理画像と前記医用画像発生装置で施した画像処理内容とのペアとするか、のどちらを指定するかの情報を付加することが好ましい。
【００１３】
本発明による医用ネットワークシステムは、上述の画像管理装置と、前記画像管理装置に医用画像を送信する医用画像発生装置と、前記画像管理装置から出力された医用画像を保存する画像保存装置またはその医用画像を記録媒体に形成する画像形成装置と、前記医用画像発生装置に対し撮影オーダを発行し各種情報を管理する情報管理装置と、含むことを特徴とする。
【００１４】
この医用ネットワークシステムによれば、例えば画像形成または画像保存に適した画像を得ることができないとき、画像管理装置から画像の再作成及び再送信を自動的に要求できるので、医用画像発生装置から修正や調整で再作成した画像や付帯情報等の画像情報を画像管理装置が自動的に受信できる。このため、画像管理装置において充分な画質・付帯情報を備えた画像情報を得ることができる。また、外部の情報管理装置まで移動しなくとも画像管理装置が再作成した画像情報を自動的に受信することができる。
【００１５】
本発明によるプログラムは、医用画像発生装置から医用画像を受信し、その受信した医用画像を画像処理し、その画像処理した医用画像及び付帯情報を表示し、画像形成装置及び画像保存装置の少なくとも一方への出力が可能な画像管理装置が備えるコンピュータのためのプログラムであって、前記受信した医用画像に対し前記画像形成装置での画像形成及び前記画像保存装置での画像保存の少なくとも一方のために適した画像処理を前記医用画像発生装置、前記画像管理装置、前記画像形成装置及び前記画像保存装置の少なくとも１つにおいて施すことができた否かを判断するステップと、前記画像処理を施すことができないとき前記医用画像発生装置における対象の医用画像の再作成及び再送信を前記医用画像発生装置または撮影オーダを発行する外部の情報管理装置に要求するステップと、を前記コンピュータに実行させることを特徴とする。
【００１６】
このプログラムによれば、上記各ステップを含む画像管理方法を画像管理装置のコンピュータに実行させることで、例えば画像形成または画像保存に適した画像を得ることができないとき、画像管理装置から画像の再作成及び再送信を自動的に要求できるので、医用画像発生装置から修正や調整で再作成した画像や付帯情報等の画像情報を画像管理装置が自動的に受信できる。このため、画像管理装置において充分な画質・付帯情報を備えた画像情報を得ることができる。また、外部の情報管理装置まで移動しなくとも画像管理装置が再作成した画像情報を自動的に受信することができる。
【００１７】
また、前記再作成を要求するときに前記再作成のための付加情報をともに送るようにすることが好ましい。また、前記再作成の要求のための通信に医用の標準ネットワークプロトコル（ＤＩＣＯＭ）を使用することが好ましい。
【００１８】
また、前記画像処理を施すことができないとは、前記画像処理による画像が最適でないときか、または、前記付帯情報が不充分であるとき、である。なお、前記付帯情報が不充分とは、その付帯情報の変更を必要とするような場合である。また、医用画像発生装置、画像管理装置、画像形成装置及び画像保存装置における画像処理には、ユーザ操作で画像処理を施す場合とがあり、ユーザが画像処理を施しても最適な画像を得ることができない場合にも再作成を要求するようにできる。
【００１９】
また、前記再作成のための付加情報に、前記医用画像発生装置からの出力画像を画像処理済画像とするか、または、未処理画像と前記医用画像発生装置で施した画像処理内容とのペアとするか、のどちらを指定するかの情報を付加させることが好ましい。
【００２０】
【発明の実施の形態】
以下、本発明による実施の形態の医用ネットワークシステムについて図面を用いて説明する。図１は本発明の実施の形態による医用ネットワークシステムの構成を示す図である。
【００２１】
図１の画像管理装置５０は、被写体（患者）の放射線画像情報が記録された輝尽性蛍光体パネルを励起光で走査して発光させ、その光をフォトマルチプライヤで光電変換することによりまたはＸ線フラットパネルディテクタを用いて画像情報を得るＣＲ（ｃｏｍｐｕｔｅｄ　ｒａｄｉｏｇｒａｐｈｙ）等の撮像モダリティにより生成され発生した医用画像を受信し、画像処理を実施した後に医用画像を外部装置に出力したり、その画像表示装置２２（図２）の画面に表示するように構成されている。
【００２２】
図１に示すように、画像管理装置５０は、上記ＣＲにより医用画像を生成し発生させる医用画像発生装置５１，５６と、ＣＴ（ｃｏｍｐｕｔｅｄ　ｔｏｍｏｇｒａｐｈｙ：コンピュータ断層撮影装置）　により医用画像を生成し発生させる医用画像発生装置５７，５９と、放射線科医師が画像を参照し診断を行うための診断用端末５２と、画像を参照するための（診断は行わない）参照用端末５３と、画像データベースに画像ファイルを保管するとともに診断用端末５２及び参照用端末５３等から画像を検索し読み出すことができる画像保存装置（画像サーバ）５４と、医用画像発生装置５１または画像管理装置５０からの画像情報をフィルムや紙等の記録媒体に可視画像として出力する画像形成装置（イメージャ、プリンタ）５５と共に医用ネットワークシステムを構成している。
【００２３】
図１の医用ネットワークシステムでは、各装置がネットワーク１０を介してオンライン接続され、情報を互いに送信しかつ受信できるようになっている。更に、ネットワーク１０には、撮影オーダを発行するＨＩＳ（病院情報システム）／ＲＩＳ（放射線科情報システム）５８が接続されており、画像管理装置５０は、医用の標準ネットワークプロトコル（ＤＩＣＯＭ）を使用してＨＩＳ／ＲＩＳ５８と通信でき、ＨＩＳ／ＲＩＳ５８に対象画像の再作成等を要求することができるようになっている。
【００２４】
また、医用画像発生装置５１，５６，５７，５９、画像保存装置５４及び画像形成装置５５では、受信した医用画像についてそれぞれユーザ操作により所定の画像処理を施すことができるようになっている。
【００２５】
次に、図１の画像管理装置５０に関する次の事項Ａ〜Ｈを順に詳細に説明する。
Ａ．装置構成
Ｂ．情報
Ｃ．ファイル
Ｄ．主な情報の入力・表示
Ｅ．画像確認手順
Ｆ．出力
Ｇ．出力画像の形成
Ｈ．ユーティリティ機能
【００２６】
Ａ．装置構成
図２は画像管理装置５０の内部構成を示すブロック図である。
【００２７】
ａ．図２に示すように、画像管理装置５０は、放射線画像撮影システム全体の動作を制御する主制御装置２１と、画像発生装置５１等からの画像ファイルを受信する受信部４０と、ハードディスクやＲＡＭ等から構成され受信した画像ファイル等の情報を記憶する保存部４１と、画像ファイル中の画像情報について画像処理を行う画像処理部４２と、外部装置に出力するための出力画像を形成する出力画像形成部４３と、受信した画像の画像確認等のために縮小画像を画像表示装置２２に表示させる画像確認処理部４５と、ＣＲＴディスプレイや液晶パネル等からなり画像及びその付帯情報等の各種画像データを表示する画像表示装置２２と、を備える。
【００２８】
主制御装置２１により各部分４０〜４３，４５及び画像表示装置２２等が制御される。画像管理装置５０の入力キーボード及びマウス等の操作部２１ｂ（図３）から各種情報を主制御装置２１等に入力できる。
【００２９】
ｂ．画像管理装置５０の機能は次のとおりであり、各機能は主制御装置２１により制御される。
▲１▼医用画像発生装置５１等より画像ファイルを受信部４０で受信する。
▲２▼画像ファイルを保存部４１に一時保存する。
▲３▼画像品質を画像確認処理部４５で作成した縮小画像で確認する。
▲４▼画像処理部４２で画像処理を実施する。
▲５▼出力画像形成部４３で出力画像を形成する。
▲６▼出力画像をネットワーク１０を介して画像保存装置５４等の外部装置へ転送する。
【００３０】
Ｂ．情報
画像管理装置５０で取り扱う情報は以下の５つに分類できる。
【００３１】
ａ．条件情報
画像ファイルを受信して、処理された画像ファイルとして画像保存装置５４等の外部装置へ出力するための条件情報であり、次のものが含まれる。
（ａ）画像処理情報
画像処理部４２における階調処理、周波数処理に関する情報である。
（ｂ）出力装置情報
画像データを再生・出力する画像保存装置５４等の外部装置に関する情報であり、画像保存装置５４等の出力装置毎に出力領域、拡大縮小率、出力フォーマット（マルチフォーマット、分割撮影フォーマット）、オーバーレイ、階調処理及び周波数処理の有無等を指定する。
（ｃ）オーバーレイ情報
ＡＰ／ＰＡ・Ｒ／Ｌ・コメント等のオーバーレイの有無・位置等の情報がある。
（ｄ）特殊指定
プロテクトの情報：画像出力後も、プロテクトを外すまで画像ファイルを保存する。
保留（ペンディング）の情報：転送を保留する。後で画像を見直してから転送したい場合に指定する。
優先（緊急）の情報：緊急撮影の場合など優先的に出力したい場合に指定する。キューの先頭に登録される。
【００３２】
ｂ．患者情報
患者に関する情報である。
（ａ）患者ＩＤ情報
患者ＩＤ番号、氏名、性別、生年月日等が含まれる。
（ｂ）オーダー情報
医師が撮影依頼をする情報である。
患者の状態に関する情報、検査依頼に関する日時・方法の指示等が含まれる。
【００３３】
ｃ．実施情報
受信、画像処理した結果に関する情報である。
（ａ）受信結果　撮影日時等が含まれる。
（ｂ）画像処理結果
画像処理パラメータ算出結果であり、出力時にこの結果に基づき画像データを画像処理する。
（ｃ）システム情報
撮影が行われた時点でのシステム構成等、システム情報の一部が含まれる。
【００３４】
ｄ．システム情報
（ａ）図１のシステムを管理・制御するための情報。
（ｂ）図１のシステムの構成（接続されている画像保存装置５４等の外部装置、その名称）。
（ｃ）図１のシステムを構成する機器を制御するためのパラメータ、テーブル。
（ｄ）入力装置である医用画像発生装置５１、５６，５７に関する設定情報
（ｅ）イメージャ５５の情報、ＨＯＳＴ情報等、出力装置に関する設定情報。
【００３５】
ｅ．画像データ
（ａ）医用画像発生装置５１より受信した画像データ。
（ｂ）画像確認のために画像データより作成した表示用縮小画像データ
（ｃ）画像確認処理部４５での表示用縮小画像の画像処理のための画像処理用縮小画像データ。
（ｄ）階調処理、周波数処理等を施した出力画像データ。
【００３６】
Ｃ．ファイル
画像管理装置５０で取り扱うファイルは保存部４１に保存され、以下の７つに分類できる。
【００３７】
ａ．条件ファイル
条件キーは画像ファイルに対する画像処理条件、出力条件をあらかじめセットしておくキーである。条件キー毎に対応した条件ファイルを持つ。条件ファイルは上記条件情報で構成される。撮影部位（肺野、腹部、頭部等）、撮影体位（立位、臥位等）、撮影方向（正面、側面等）、患者の特徴（性別、年齢、体格等）、病名、使用する技師等により分類し、それぞれに対応した名称、撮影情報をあらかじめ設定しておく。そして、主制御装置２１は、複数に分類した各分類毎に、条件ファイル群を設定し、設定された条件ファイル群毎に複数の条件ファイルを設定し、保存部４１に保存する。画像受信時にもっとも適した条件を一つ選ぶ。
【００３８】
ｂ．画像ヘッダファイル
受信後、画像ヘッダファイルが作成される。画像ヘッダはその撮影の予約ファイル（すなわち撮影情報、患者情報）、撮影実施情報で構成される。ユーザが撮影情報、患者情報、撮影実施情報を参照、変更する場合は画像ヘッダファイルを参照する。
【００３９】
ｃ．縮小画像ファイル
画像データを何分の一かに縮小した画像データである。
（ａ）表示用縮小画像データ
図２の画像表示装置２２に表示されるデータは、この表示用縮小画像を使用する。
（ｂ）画像処理用縮小画像データ
画像処理を実施するためのパラメータを算出する縮小画像データである。縮小率は縮小後の１画素があらかじめ指定された同一長さになるように決定する。これにより読取画素サイズの違いを縮小後の画像で補正できる。画像処理パラメータの算出は、画像処理用縮小画像で行われ、画像データは使用しない。
【００４０】
ｄ．画像ファイル
（ａ）画像ファイルは、付帯情報（画像ヘッダ）と画像データで構成される。
（ｂ）画像ヘッダは条件情報、患者情報、実施情報で構成される。
ユーザが条件情報、患者情報、実施情報を参照し、変更する場合は画像ヘッダを参照する。
【００４１】
ｅ．出力画像ファイル
周波数処理・階調処理・オーバーレイ・回転・拡大縮小のうち指定された処理を施した出力画像データのファイルである。
【００４２】
ｆ．システムファイル
上記システム情報をファイル化したものである。
【００４３】
Ｄ．主な情報の入力・表示
【００４４】
ａ．受信画像情報表示
受信画像をサムネイル表示する。
【００４５】
ｂ．出力情報表示
▲１▼出力サイズ、向き、トリミング位置、出力位置、拡大縮小方法等を指定する。あらかじめ条件ファイルに登録する。
▲２▼条件キーが選択されると、あらかじめ指定された条件で出力領域、出力画像領域が決定され、画像表示装置２２の画面上に表示される。画像表示装置２２の画面上の出力領域表示エリアの大きさを出力における最大出力領域とする。出力領域、出力画像領域を、出力領域表示エリアにグラフィック表示する。これにより、適切な出力領域、出力画像領域の選択、確認を装置毎に行うことができる。
【００４６】
ｃ．オーバーレイ情報
▲１▼「ＡＰ」、「ＰＡ」、「Ｒ」、「Ｌ」、コメント、目盛り等をオーバーレイするか否か、どの位置にオーバーレイするかを指定する。あらかじめ条件ファイルに登録する。
▲２▼画像表示装置２２の画面の出力領域表示エリアに、出力画像を表示し、そこにオーバーレイ情報をグラフィック表示する。
▲３▼適切なオーバーレイの選択、位置の指定をできる。
▲４▼オーバーレイに隠れて見えない部分が無いことを確認できる。オーバーレイにより診断に不都合が生じる場合は移動できる。
【００４７】
ｄ．ＲＩＳからのオンライン情報入出力
▲１▼医師からのオーダーを入力する。入力したオーダーを、本システムのフォーマットに変換し予約ファイルに保存する。撮影部位、撮影方法を対応する撮影条件キーで変換する。
▲２▼画像ヘッダファイルをＲＩＳ側フォーマットに変換し出力する。
【００４８】
ｅ．画像リスト
画像ファイルをリストとして表示することができる。
【００４９】
Ｅ．画像確認手順
ａ．画像確認時のシステムの動作
（１）画像ファイルを医用画像発生装置５１より受信し、保存部４１に格納する。
（２）保存部４１の記憶媒体に格納された画像ファイルは、画像確認処理部４５であらかじめ指定された縮小率で縮小される。
（３）順次、縮小画像が画像表示装置２２の画面に表示される。
（４）受信及び表示終了後、デジタル画像情報は撮影条件キーによってあらかじめ指定された方法で画像処理され画像表示装置２２に再表示される。画像処理のパラメータの決定には縮小画像が使用される。
（５）画像表示装置２２に順次、表示され、表示終了後階調処理された画像を再表示する。
（６）オペレータが、画像表示装置２２に表示される受信画像を見て正常画像と判断した場合は、文字情報入力装置より受信終了を確認するためのキーを入力し画像確認は終了する。
（７）患者情報、画像処理方法、出力方法等を変更したい場合には、文字情報入力装置から新たな情報を入力することができる。
（８）画像確認キーが押されるとその画像の画像確認は終了し自動的に次の画像が表示される。
（９）画像に問題がある場合は、画像処理の変更することができる。保留として、後で詳細な画像処理の変更が可能である。
（１０）画像確認キーが入力されると画像確認は終了し、以下の処理がされる。
▲１▼画像ファイルが確認済み画像ファイルとして保存部４１に保存される。
▲２▼画像確認が終了した画像は外部装置への出力のためにキューに登録される。
▲３▼次に受信された画像ファイルが表示されて、画像確認可能となる。
（１１）保留キーが入力されると画像確認は終了する。
【００５０】
Ｆ．出力
▲１▼出力は受信、画像確認とは非同期に行われる。
▲２▼キューは外部装置毎に作られて管理され、それぞれのキューは互いに独立に動作し、影響し合わない。したがって出力は装置毎に非同期に行われる。
▲３▼画像がどの外部装置のキューに登録されているかは保存部４１にキュー登録テーブルとして保存され、キューへの登録、削除毎に更新されて管理される。
▲４▼キューに登録された画像は登録された順に外部装置に出力され、出力が終了した画像はキューから削除される。
▲５▼出力を実行するときには、キューに登録されている番号から、保存部４１に記憶されている画像ファイルを特定する。
▲６▼画像ファイルに保存されている条件で出力画像が形成される。画像ヘッダは出力装置毎に決められるフォーマットに変換され、画像データと共に転送される。
【００５１】
Ｇ．出力画像の形成
【００５２】
ａ．出力画像は、出力画像形成部４３で主に以下の処理で形成される。
▲１▼保存部４１から画像用メモリへ、画像データを読み出す。
▲２▼周波数処理を行う。
▲３▼イコライゼーション処理
▲４▼階調処理を行う
▲５▼画像の回転を行う
▲６▼ミラー反転を行う
▲７▼拡大縮小を行う
▲８▼オーバーレイを行う
【００５３】
ｂ．▲２▼〜▲８▼は実行するかどうかを条件情報で出力装置毎に指定できる。
【００５４】
ｃ．▲２▼〜▲８▼の指定された処理をした画像データを処理済み画像データファイルとして保存することを指定できる。各出力装置への出力画像の共通処理部分の再処理をなくす。
【００５５】
ｄ．例えば、各出力装置への出力画像の拡大縮小率が違う場合、▲６▼まで処理済みの画像を保存しておけば、別装置へ転送する場合、▲６▼まで処理済みの画像を読み出し、▲７▼▲８▼のみ処理を行い転送することで、▲２▼〜▲６▼での時間を短縮できる。
【００５６】
ｅ．▲５▼▲６▼を▲２▼▲３▼▲４▼のいずれかと同時に実行する。メモリのアクセスが減り、処理時間を短縮できる。
【００５７】
Ｈ．ユーティリティ機能
【００５８】
ａ．ユーザのためのユーティリティとしていくつかの機能を持つ。
ユーティリティ機能はパスワードにより、一般ユーザ、マネージャー、メーカー毎に機能が制限される。特に画像に関する情報の変更は、セキュリティのためにマネージャーのパスワードを必要とする。
【００５９】
ｂ．画像ファイル操作
▲１▼画像ファイルリストが表示され、保存されている画像に関する情報が受信順に画像表示装置２２に表示される。
▲２▼リスト中から所望の画像を選択すると、患者情報、条件情報、画像が画像確認時の画面と同様の形態で表示される。
▲３▼患者情報、画像処理方法、出力方法等を変更することができる。
▲４▼撮影時に「保留」を指定された画像は、ここで再確認することで「保留」が解除される。
▲５▼各外部装置へ出力するかどうか、出力順を変更できる。
【００６０】
ｃ．撮影記録、照射録
▲１▼撮影情報、患者情報を統計処理し、撮影記録、照射録としてユーザに提供する。
▲２▼指定された期間の撮影部位毎の撮影数、一日に撮影した撮影条件のリスト等を出力できる。
【００６１】
ｄ．カスタマイズ
画面、操作性をユーザ毎にカスタマイズできる。
【００６２】
次に、図１，図２の画像管理装置において、医用画像発生装置から受信した元画像品質に問題があったり、受信した画像では充分な画像品質や付帯情報が得られない場合に、画像発生装置から調整や修正を施した画像情報を受信できるようにした装置構成及び動作について図面を参照して説明する。
【００６３】
図３は図１，図２の画像管理装置５０において画像発生装置から調整や修正を施した画像を受信できるように制御するための制御系を示すブロック図であり、図４は図１，図２の画像管理装置５０における動作の各ステップを示すフローチャートである。
【００６４】
図３に示すように、図１，図２の画像管理装置５０は、受信部４０で受信した画像ファイルを各種の付帯情報とともに記憶し保存する保存部４１から入力された画像情報について、画像形成または画像保存に適した画像処理を施すことができないとき、医用画像発生装置における対象の医用画像の再作成を医用画像発生装置またはＨＩＳ／ＲＩＳ５８に要求するための再作成要求部２１ａを備える。また、操作部２１ｂから再作成のための付加情報として画像処理情報を入力することができ、再作成要求部２１ａからその画像処理情報を再作成の要求情報とともに医用画像発生装置またはＨＩＳ／ＲＩＳ５８に送ることができる。
【００６５】
次に、図１乃至図３の画像管理装置５０の動作について図４のフローチャートを参照して説明する。
【００６６】
まず、ＨＩＳ／ＲＩＳ５８から医師等の指示による撮影オーダが医用画像発生装置５１，５６，５７，５９のいずれかに発行される（Ｓ０１）。この撮影オーダに基づいて例えば画像発生装置５１で医用画像を撮影し必要な画像処理を行う（Ｓ０２）。そして、画像発生装置５１から画像管理装置５０へ医用画像を送信し（Ｓ０３）、画像管理装置５０が受信した医用画像を付帯情報とともに画像表示装置２２の画面に表示する（Ｓ０４）。その表示された医用画像について画像処理をユーザ操作によって行う（Ｓ０５）。
【００６７】
次に、上述の画像処理で最適な画像が得られ充分な付帯情報が得られ画像保存装置５４における画像保存に適していると判断された場合（Ｓ０６）、最適な画像処理を施し（Ｓ０７）その画像を出力画像形成部４３の出力部４３ａ（図３）から画像保存装置５４に出力する（Ｓ０８）。
【００６８】
また、最適な画像が得られない場合または充分な付帯情報が得られない場合（Ｓ０６）、画像管理装置５０がＨＩＳ／ＲＩＳ５８または画像発生装置５１に対して対象画像情報の再作成を要求する（Ｓ０９）。このとき、最適な画像・最適な付帯情報を得られるように再作成・再撮影のための画像処理情報を付加しまた必要に応じて既にある画像処理情報を変更する。
【００６９】
なお、充分な付帯情報が得られたか否かは、付帯情報の確認を画面上で行い、修正可能なときには操作部２１ｂによって修正を行い、充分な付帯情報だと確認できたか否かによって行うことができる。
【００７０】
また、ＨＩＳ／ＲＩＳ５８に対して、対象画像情報の再作成を要求するときの通信には、医用画像標準ネットワークプロトコルであるＤＩＣＯＭを使用している。
【００７１】
また、上記ステップＳ０６での画像が処理済後の画像であった場合、ステップＳ０９において未処理画像と画像発生装置で施した画像処理内容とをペアで送るよう指定した情報を付加して再送信を再作成の代わりに要求してもよい。この場合、画像管理装置５０側で未処理画像に対し画像発生装置５１で施した画像処理内容と比較しながら画像処理を施すことができる。
【００７２】
また、画像管理装置５０内にある対象画像は、上記の再作成の要求後には削除してもよいし、保存しておいて後で削除してもよい。
【００７３】
次に、上述のステップＳ０９での再作成をＨＩＳ／ＲＩＳ５８に要求し送信した場合（Ｓ１０）、かかる再作成の要求に基づいて自動的にＨＩＳ／ＲＩＳ５８で再撮影のためのオーダが作成されて医用画像発生装置５１に対し発行される（Ｓ１１）。かかる再撮影オーダに基づいて医用画像発生装置５１で画像撮影を行い、必要な画像処理を行う（Ｓ１２）。そして、その画像及び付帯情報を医用画像発生装置５１から画像管理装置５０に送信する（Ｓ１３）。
【００７４】
また、上述のステップＳ０９での再作成を医用画像発生装置５１に要求し送信した場合（Ｓ１４）、その元画像に対する画像処理のやり直し等による修正を行い（Ｓ１５）、その画像を画像管理装置５０へ送信する（Ｓ１６）。
【００７５】
次に、上述のステップＳ０３に戻り、上述のステップＳ１３またはＳ１６で送られた医用画像を付帯情報とともに画像管理装置５０が受信し、以下同様のステップを実行することで、最終的に、最適な画像が得られ充分な付帯情報が得られた場合（Ｓ０６）、最適な画像処理を施し（Ｓ０７）、その画像を画像保存装置５４に出力する（Ｓ０８）。
【００７６】
なお、上述のＳ０９における再作成の要求は、すべてＨＩＳ／ＲＩＳ５８に送り、必要に応じて医用画像発生装置に画像の修正・作成を行わせるようにしてもよい。
【００７７】
また、ステップＳ０８における出力先は画像形成装置５５であってもよく、この場合、最適な画像が得られ充分な付帯情報が得られたか否かは、画像及び付帯情報がその画像形成に適しているか否かで判断される。
【００７８】
以上のように、図４の本実施の形態によれば、画像管理装置５０で受信した画像に画像処理をしたとき、画像形成または画像保存に適した画像を得ることができないとき、ＨＩＳ／ＲＩＳ５８または画像発生装置５１，５６，５７，５９に対し画像管理装置５０から画像の再作成及び再送信を自動的に要求できるので、再撮影等による修正や調整で再作成した画像や付帯情報等の画像情報を医用画像発生装置から画像管理装置５０が自動的に受信できるようになる。従って、画像管理装置５０において充分な画質・付帯情報を備えた画像情報を得ることができ、画像形成または画像保存に適した画像情報を画像形成装置５５または画像保存装置５４に出力することができる。また、外部のＨＩＳ／ＲＩＳ５８まで移動しなくとも画像管理装置５０で再作成した画像情報を自動的に受信できるので、便利である。
【００７９】
なお、図２、図３の画像管理装置５０の保存部４１には、上述の図４のフローチャートにおける各ステップを実行できるようにプログラミングされたプログラムが格納されており、主制御装置２１が必要に応じてプログラムを読み出し、そのプログラムを実行することができる。
【００８０】
以上のように本発明を実施の形態により説明したが、本発明はこれらに限定されるものではなく、本発明の技術的思想の範囲内で各種の変形が可能である。例えば、医用画像発生装置５１，５６，５７，５９は、上述のＣＲやＣＴ以外の撮像モダリティであってもよく、例えば、ＭＲＩ（ｍａｇｎｅｔｉｃ　ｒｅｓｏｎａｎｃｅ　ｉｍａｇｉｎｇ：核磁気共鳴映像装置）、ＤＲ（ｄｉｇｉｔａｌ　ｒａｄｉｏｇｒａｐｈｙ：デジタルラジオグラフィー）、ＵＳ（ｕｌｔｒａｓｏｕｎｄ：超音波診断装置）などの撮像モダリティ用の医用画像発生装置であってもよいことは勿論であり、また、本発明による医用ネットワークシステムにこれらの各医用画像発生装置をそれぞれ接続するようにしてもよい。
【００８１】
また、ＨＩＳ／ＲＩＳ５８に対して、対象画像情報の再作成を要求するときの通信には、ＰＰＳ、Ｄｅｔａｃｈ等のプロトコルを用いてもよい。
【００８２】
また、図４では、画像管理装置５０での画像処理で最適な画像が得られ充分な付帯情報が得られ画像保存装置５４における画像保存に適していると判断する（Ｓ０６）場合を説明したが、医用画像発生装置、画像形成装置及び画像保存装置ではユーザ操作による画像処理を行う場合があり、かかる画像処理がうまくできずに最適な画像でないときも図４のステップＳ０６で判断し、再作成を要求することができる。
【００８３】
【発明の効果】
本発明によれば、医用画像発生装置から受信した元画像品質に問題があったり、受信した画像では充分な画像品質や付帯情報が得られない場合に、画像発生装置から調整や修正を施した画像情報を受信できるようにした画像管理装置及び医用ネットワークを提供できる。また、かかる画像管理装置のコンピュータに実行させるのためのプログラムを提供できる。
【図面の簡単な説明】
【図１】本実施の形態による医用ネットワークシステムの構成を示す図である。
【図２】図１の画像管理装置の構成を示すブロック図である。
【図３】図１，図２の画像管理装置において画像発生装置から調整や修正を施した画像を受信できるように制御するための制御系を示すブロック図である。
【図４】図１，図２の画像管理装置における動作の各ステップを示すフローチャートである。
【符号の説明】
５０　　　・・・画像管理装置
２２　　　・・・画像表示装置
４１　　　・・・保存部
４２　　　・・・画像処理部
５１，５６・・・医用画像発生装置
５７，５９・・・医用画像発生装置
５４　　　・・・画像保存装置、画像サーバ
５５　　　・・・画像形成装置、イメージャ、プリンタ
２１ａ　　・・・再作成要求部
５８　　　・・・ＨＩＳ／ＲＩＳ（外部の情報管理装置）
【図１】
2004097652.tif 000003
【図２】
2004097652.tif 000004
【図３】
2004097652.tif 000005
【図４】
2004097652.tif 000006